(57)【特許請求の範囲】
【請求項１】
パワーショベルに磁石が取り付けられて、廃棄物中の磁性体を選別する磁石付きパワーショベルにおいて、
前記パワーショベルを構成する一対の回動自在な爪のうち、一方の爪に磁石を設けると共に、当該一方の爪の把持面から他方の爪側に向けて前記磁石の吸着面が突出するように移動突出手段が設けられて、前記磁石が前記一方の爪の把持面から出没自在にされていること、
を特徴とする磁石付きパワーショベル。
【請求項２】
パワーショベルに磁石が取り付けられて、廃棄物中の磁性体を選別する磁石付きパワーショベルにおいて、
前記パワーショベルを構成する一対の回動自在な爪のうち、一方の爪の背面側に揺動アームを介して磁石を設けると共に、前記揺動アームを駆動させ揺動させるアーム駆動装置が設けられ、前記一対の爪を閉じた状態にした後、前記アーム駆動装置で前記揺動アームを下方に向かって回動させて前記磁石を前記閉じた爪の下位置に配置されることで、前記磁石は前記一対の爪の作業範囲外にて吸着作業が可能になっていること、
を特徴とする磁石付きパワーショベル。
【発明の詳細な説明】
【技術分野】
【０００１】
本発明は、磁石付きパワーショベルに関し、廃棄物を掴む爪と、廃棄物に混入する磁性体を他と選別する磁石との機能のそれぞれが、有効に発揮されるようにすることが発明の目的である。
【背景技術】
【０００２】
従来、磁石付きのショベルとしては、図４（Ａ），（Ｂ）乃至図５に示すように、作業機（図示せず）のアーム２１の先端に、リンク２２を介して若しくは油圧シリンダー２３を介して、一対の把持用の爪２４，２５が設けられている。そして、前記爪２４には、爪２４の廃棄物を挟む把持面２４ａと磁石２６の吸着面とを同一面にして、磁石２６が固定して設けられている。
【０００３】
また、図６に示すように、作業機におけるバケット２７の底壁の外側に、電磁石２８を固定して、廃棄物の押込み、破砕及び大小の選別と鉄くずの吸着回収が出来るようにしたものが知られている（特許文献１参照）。
【特許文献１】特開２００７−１４６７０号公報
【発明の開示】
【発明が解決しようとする課題】
【０００４】
しかし、従来の磁石付きパワーショベルやバケットにおいては、前記磁石がショベルに固定して設けられていて、爪の把持作用を邪魔しないように取り付けられる。また、爪は、前記磁石による板類などの吸着作用を邪魔しないように、磁石の吸着面から突出しないように設置されるので、結局、その爪の把持面と磁石の吸着面とを面一にせざるを得ない。その結果、従来のパワーショベルでは、沢山の廃棄物を掴むことができずにいる。本発明に係る磁石付きパワーショベルは、このような課題を解決するために提案されたものである。
【課題を解決するための手段】
【０００５】
本発明に係る磁石付きパワーショベルの上記課題を解決して目的を達成するための要旨は、パワーショベルに磁石が取り付けられて、廃棄物中の磁性体を選別する磁石付きパワーショベルにおいて、前記パワーショベルを構成する一対の回動自在な爪のうち、一方の爪に磁石を設けると共に、当該一方の爪の把持面から他方の爪側に向けて前記磁石の吸着面が突出するように移動突出手段が設けられて、前記磁石が前記一方の爪の把持面から出没自在にされていることである。
【０００６】
また、本発明に係る磁石付きパワーショベルの上記課題を解決して目的を達成する要旨は、パワーショベルに磁石が取り付けられて、廃棄物中の磁性体を選別する磁石付きパワーショベルにおいて、前記パワーショベルを構成する一対の回動自在な爪のうち、一方の爪の背面側に揺動アームを介して磁石を設けると共に、前記揺動アームを駆動させ揺動させるアーム駆動装置が設けられ、前記一対の爪を閉じた状態にした後、前記アーム駆動装置で前記揺動アームを下方に向かって回動させて前記磁石を前記閉じた爪の下位置に配置されることで、前記磁石は前記一対の爪の作業範囲外にて吸着作業が可能になっていることである。
【発明の効果】
【０００７】
本発明の磁石付きパワーショベルによれば、このような磁石付きパワーショベルであれば、ショベルで多くの廃棄物等をしっかり掴むことができるようになり、一方で、磁石をショベルの爪よりも突出させて使用すれば、爪が邪魔にならず、地面に置かれた板等の平板体も容易に吸着することができる。こうして、廃棄物を掴むことと、磁性体を選別することという両作業が、能率良く行えるものである。
【発明を実施するための最良の形態】
【０００８】
本発明に係る磁石付きパワーショベル１について、図１乃至図２を参照して説明する。なお、従来例に対応する部分には従来例と同一符号を付けて説明する。クローラなどで移動自在な作業機におけるパワーショベルに磁石が取り付けられて、廃棄物中の磁性体を選別する磁石付きパワーショベル１において、前記パワーショベル１を構成する一対の回動自在な爪２４，２５のうち、一方の爪２４に磁石２６を設けると共に、当該一方の爪２４の把持面２４ａから他方の爪２５側へ前記磁石２６の吸着面２６ａが突出するように移動突出手段７が設けられて、前記磁石２６が前記一方の爪２４の把持面２４ａから他方の爪２５側へ出没自在にされている。
【０００９】
前記磁石２６は、永久磁石若しくは電磁石である。そして、前記移動突出手段７は、例えば、油圧シリンダーであり、前記一方の爪２４の背部に回動自在な油圧シリンダー用の支点部７ａが設けられて、そこに油圧シリンダー７の一端部が回動自在に連結されている。
【００１０】
前記油圧シリンダー７のロッド先端部７ｂは、磁石２６の上部支点部に回転自在に連結されている。また、前記磁石２６の一端側の基部２６ｂが、前記一方の爪２４の基部近傍に回転自在にして連結されている。
【００１１】
また、他方の爪２５は、図１乃至図２に示すように、支点部２５ａでアーム２１に回動自在に連結されており、作用部２５ｂに油圧シリンダー２３のロッド先端部が回転自在にして連結されている。この爪２５と、アーム２１の先端に基部２４ｂが回動自在に連結されている前記爪２４とで、廃棄物等を挟持して掴むものである。
【００１２】
以上のような構成により、前記磁石付きパワーショベル１は、前記油圧シリンダー７を駆動させて、磁石２６を引き込んで後退させておけば、一対の爪２４，２５とが廃棄物等を掴むことができる。また、鉄板等の平板体を磁石２６で吸着するときには、図２に示すように、油圧シリンダー２３でロッドを引き込み、爪２５を後退させ、また、リンク２２で爪２４を引き込んで後退させる。
【００１３】
次に、油圧シリンダー７を駆動させてそのロッドを伸長させると、一端側の基部２６ｂを中心にして磁石２６が回転する。その磁石２６の吸着面２６ａが、爪２４の把持面２４ａよりも突出する。こうして、アーム２１を下げるようにすれば、この磁石２６によって、地面の上に敷いてある鉄板等の磁性体を確実に吸着することができる。
【００１４】
本発明に係る第２実施例の磁石付きパワーショベル２は、図３（Ａ），（Ｂ）に示すように、前記パワーショベル１を構成する一対の回動自在な爪２４，２５のうち、一方の爪２４の背面側に平行リンク的に設けた揺動アーム３（３ａ，３ｂ）を介して磁石２６を揺動自在に設けると共に、前記揺動アーム３を駆動させ揺動させるアーム駆動装置（図示せず）が設けられている。
【００１５】
前記一対の爪２４，２５は、図３（Ａ）に示すように、支点部４ａを中心にして回動するレバー４によってこれと一体的にして爪２４が開閉され、これらと同時に、前記レバー４に連結されるリンクバー５によって爪２５が支点部２５ｃを中心にして開閉される。そして、前記レバー４は、油圧シリンダー６によって回転駆動されるものである。
【００１６】
前記磁石２６を使用するときには、図３（Ｂ）に示すように、油圧シリンダー６のロッドを伸長させて、前記レバー４とリンクバー５とにより一対の爪２４，２５を閉じた状態にして、次に、前記アーム駆動装置で揺動アーム３を下方に向かって回動させる。この揺動アーム３の回動により、磁石２６が爪２４，２５の下位置に配置される。磁石２６の吸着面２６ａが略水平状態になったところで、地面の鉄板等の磁性体を前記磁石２６で吸着するものである。
【００１７】
このようにして、第２実施例に係る磁石付きパワーショベル２によれば、前記一対の爪２４，２５の作業範囲外にて吸着作業が可能になって、爪２４，２５に邪魔されず磁気選別作業が容易となり、作業効率が向上するものである。
【００１８】
本発明に係る磁石付きパワーショベル１において、前記磁石２６を、把持面２４ａから出没させる構成として、上記第１実施例や第２実施例に示したように、磁石の一端部側の基部を中心にして当該磁石を回転させたり、平行リンク的なアームで爪に対して揺動させたりして説明したが、この例に限らず、直接的に、爪などに設けた油圧シリンダーで出没させるようにすることができるものであり、公知の技術的手段で磁石２６を平行移動若しくは回転移動させることができるものである。
【図面の簡単な説明】
【００１９】
【図１】本発明に係る磁石付きパワーショベル１の使用状態において、閉状態を示す側面図である。
【図２】同本発明の磁石付きパワーショベル１の使用状態において、開状態を示す側面図である。
【図３】同本発明の第２実施例に係る、爪を開状態にした説明用の側面図（Ａ）と、閉状態の説明用の側面図（Ｂ）とである。
【図４】従来例に係るパワーショベルの使用状態において、閉状態を示す側面図（Ａ）と、開状態を示す側面図（Ｂ）とである。
【図５】同従来例に係るパワーショベルの平面図（Ａ）、側面図（Ｂ）、背面図（Ｃ）である。
【図６】同従来例に係る磁石付きバケットの概略側面図である。
【符号の説明】
【００２０】
１          磁石付きパワーショベル、
２          第２実施例に係る磁石付きパワーショベル、
３          揺動アーム、
４          レバー、                          ４ａ        支点部、
５          リンクバー、                
６          油圧シリンダー、
７          移動突出手段（油圧シリンダー）、
７ａ        支点部、
７ｂ        ロッド先端部、      
２１        従来例に係る磁石付きパワーショベル、
２１        アーム、
２２        リンク、
２３        油圧シリンダー、
２４        一方の爪、                        ２４ａ      把持面、
２４ｂ      基部、
２５        他方の爪、                        ２５ａ      支点部、
２５ｂ      作用部、                          ２５ｃ      支点部、      
２６        磁石、                          ２６ａ      吸着面、
２６ｂ      基部、
２７        バケット、                      ２７ａ      支点部、
２７ｂ      ロッド先端部、
２８        電磁石。
【図１】
0005358117.tif 000002
【図２】
0005358117.tif 000003
【図３】
0005358117.tif 000004
【図４】
0005358117.tif 000005
【図５】
0005358117.tif 000006
【図６】
0005358117.tif 000007